(57)【要約】【課題】圧縮機構及びそれを駆動する電動機がケーシングに収容されるとともに、圧縮機構が吐出したガスが、該圧縮機構と電動機との間の一次空間、及び電動機よりも上方の二次空間を流れる構造の圧縮機において、二次空間からケーシングの底部に戻す潤滑油が、回転子の回転によって一次空間内で飛散しないようにする。【解決手段】一次空間（S1）に流れるガスと潤滑油通路（21a）から流出した潤滑油とを隔てるように一次空間（S1）内に油飛散防止カバー（86）を設ける。【選択図】図１
2015055191.tif 000002
【特許請求の範囲】
【請求項１】
圧縮機構（40,60）と、該圧縮機構（40,60）を収容するケーシング（11）と、該ケーシング（11）内において上記圧縮機構（40,60）よりも上方に設けられた電動機（20）とを備え、上記圧縮機構（40,60）が吐出したガスが、上記圧縮機構（40,60）と上記電動機（20）との間の一次空間（S1）、及び上記電動機（20）よりも上方の二次空間（S2）を流れる圧縮機において、
上記二次空間（S2）と上記一次空間（S1）とを連通して、該二次空間（S2）内の潤滑油を二次空間（S2）から一次空間（S1）側に排出する潤滑油通路（21a）と、
上記一次空間（S1）に流れる上記ガスと上記潤滑油通路（21a）から流出した潤滑油とを隔てるように上記一次空間（S1）内に形成された油飛散防止カバー（86）と、
を備えたことを特徴とする圧縮機。
【請求項２】
請求項１の圧縮機において、
上記潤滑油通路（21a）は、上記電動機（20）の固定子（21）の外周部の一部を切り欠いたコアカット（21a）によって形成され、
上記油飛散防止カバー（86）は、上記コアカット（21a）に隣接して配置され、上記潤滑油通路（21a）から流出した潤滑油を、上記ケーシング（11）の内周面とともに囲い込むように構成されていることを特徴とする圧縮機。
【発明の詳細な説明】
【技術分野】
【０００１】
本発明は、圧縮機構が吐出したガスが、該圧縮機構を収容するケーシング内を流れる構造の圧縮機に関するものである。
【背景技術】
【０００２】
従来、シリンダと、ピストンと、ピストンを偏心運動させるクランク軸とを備えた回転式流体機械（圧縮機）が知られている。この種の回転式流体機械は、例えば冷凍装置の冷媒回路に設けられて冷媒を圧縮する圧縮機として用いられる。
【０００３】
特許文献１及び特許文献２には、回転式流体機械の一種であるロータリ式流体機械が開示されている。
【先行技術文献】
【特許文献】
【０００４】
【特許文献１】実開平０１−０６９１９４号公報
【特許文献２】特開２００４−１４３９７９号公報
【発明の概要】
【発明が解決しようとする課題】
【０００５】
ところで、上記のような圧縮機の中には、圧縮機構及びそれを駆動する電動機がケーシングに収容されるとともに、圧縮機構が吐出したガスが、該圧縮機構と電動機との間の空間（後述の一次空間）、及び上記電動機よりも上方の空間（後述の二次空間）を流れる構造のものがある。このような構造の圧縮機では、二次空間に潤滑油が入り込むので、その潤滑油を、一次空間を経由してケーシングの底部に戻す必要がある。
【０００６】
しかしながら、一次空間を通過する潤滑油は、電動機の回転子によって生じた気流によって飛散させられて、上記ガスとともに一次空間において環状の流れとなる可能性がある。環状の流れを形成する潤滑油は、一次空間に留まるので、潤滑に再利用し難い。これは、圧縮機の回転数が高くなるほど顕著になる。
【０００７】
本発明は上記の問題に着目してなされたものであり、二次空間からケーシングの底部に戻す潤滑油が、回転子の回転によって一次空間内で飛散しないようにすることを目的としている。
【課題を解決するための手段】
【０００８】
上記の課題を解決するため、第１の発明は、
圧縮機構（40,60）と、該圧縮機構（40,60）を収容するケーシング（11）と、該ケーシング（11）内において上記圧縮機構（40,60）よりも上方に設けられた電動機（20）とを備え、上記圧縮機構（40,60）が吐出したガスが、上記圧縮機構（40,60）と上記電動機（20）との間の一次空間（S1）、及び上記電動機（20）よりも上方の二次空間（S2）を流れる圧縮機において、
上記二次空間（S2）と上記一次空間（S1）とを連通して、該二次空間（S2）内の潤滑油を二次空間（S2）から一次空間（S1）側に排出する潤滑油通路（21a）と、
上記一次空間（S1）に流れる上記ガスと上記潤滑油通路（21a）から流出した潤滑油とを隔てるように上記一次空間（S1）内に形成された油飛散防止カバー（86）と、
を備えたことを特徴とする。
【０００９】
この構成では、油飛散防止カバー（86）が、一次空間（S1）に流れるガスと潤滑油通路（21a）から流出した潤滑油とを隔てる。
【００１０】
また、第２の発明は、
第１の発明の圧縮機において、
上記潤滑油通路（21a）は、上記電動機（20）の固定子（21）の外周部の一部を切り欠いたコアカット（21a）によって形成され、
上記油飛散防止カバー（86）は、上記コアカット（21a）に隣接して配置され、上記潤滑油通路（21a）から流出した潤滑油を、上記ケーシング（11）の内周面とともに囲い込むように構成されていることを特徴とする。
【発明の効果】
【００１１】
第１、第２の発明のそれぞれによれば、二次空間からケーシングの底部に戻す潤滑油が、回転子の回転によって一次空間内で飛散しないようにできる。
【図面の簡単な説明】
【００１２】
【図１】図１は、実施形態の圧縮機の縦断面を示す断面図である。
【図２】図２は、実施形態の圧縮機部の縦断面を示す断面図である。
【図３】図３は、実施形態の圧縮機部の図２とは異なる縦断面を示す断面図である。
【図４】図４は、実施形態の圧縮機部の要部の縦断面を拡大して示す断面図であって、(Ａ)はリアヘッド付近の要部を示し、(Ｂ)はフロントヘッド付近の要部を示す。
【図５】図５は、図２のＥ−Ｅ断面を示す第１圧縮機構の横断面である。
【図６】図６は、図２のＦ−Ｆ断面を示す第２圧縮機構の横断面である。
【図７】図７は、実施形態の圧縮機の横断面（図２のＧ−Ｇ断面）を示す断面図である。
【図８】図８は、油戻しガイドの斜視図である。
【図９】図９は、油飛散防止カバーの斜視図である。
【図１０】図１０は、実施形態の第１圧縮機構の横断面図であって、駆動軸の回転角度が４５°変化する毎の状態を示すものである。
【発明を実施するための形態】
【００１３】
以下、本発明の実施形態について図面を参照しながら説明する。なお、以下の実施形態は、本質的に好ましい例示であって、本発明、その適用物、あるいはその用途の範囲を制限することを意図するものではない。
【００１４】
《発明の実施形態》
本発明の実施形態について説明する。本実施形態の圧縮機（10）は、冷凍サイクルを行う冷媒回路に設けられ、冷媒回路内を循環する冷媒を吸入して圧縮する。
【００１５】
−圧縮機の全体構成−
図１に示すように、圧縮機（10）は、密閉容器状のケーシング（11）を備えている。ケーシング（11）は、起立した円筒状の胴部（12）と、肉厚の円板状に形成された一対の端板部（13）とを備えている。ケーシング（11）では、端板部（13）が胴部（12）の各端部に一つずつ配置され、胴部（12）の端部が端板部（13）によって閉塞される。
【００１６】
ケーシング（11）の内部には、電動機（20）と、圧縮機部（30）とが収納されている。圧縮機部（30）は、電動機（20）の下方に配置されている。圧縮機部（30）は、低段側の第１圧縮機構（40）と、高段側の第２圧縮機構（60）とを備えている。
【００１７】
ケーシング（11）の胴部（12）には、第１吸入管（14）、第１吐出管（15）、第２吸入管（16）、及び第２吐出管（17）が設けられている。これらの吸入管（14,16）と吐出管（15,17）は、胴部（12）を貫通している。第１吸入管（14）及び第１吐出管（15）は、第１圧縮機構（40）に接続される。第２吸入管（16）は、第２圧縮機構（60）に接続される。図示を省略するが、第１吐出管（15）と第２吸入管（16）は、配管を介して接続されている。
【００１８】
第２吐出管（17）は、電動機（20）よりも上方に配置されている。第２吐出管（17）は、入口側の端部が上側に直角に曲がっており、入口端が上向きに開口している。つまり、第２吐出管（17）の入口端は、上側の端板部（13）と対面している。また、第２吐出管（17）の入口側の端部は、胴部（12）の中心軸付近に位置している。
【００１９】
本実施形態の圧縮機（10）は、高段側の第２圧縮機構（60）において圧縮された冷媒がケーシング（11）の内部空間に吐出され、第２吐出管（17）を介してケーシング（11）の外部へ排出されるように構成されている。つまり、この圧縮機（10）は、ケーシング（11）の内部空間の圧力が圧縮機（10）の吐出圧力と実質的に等しい高圧ドーム型の圧縮機である。
【００２０】
ケーシング（11）の内部には、駆動軸（23）が胴部（12）の軸方向に沿って設けられている。この駆動軸（23）は、電動機（20）と圧縮機部（30）を連結している。なお、密閉容器状のケーシング（11）の底部には、圧縮機部（30）の各摺動部に供給するための潤滑油（冷凍機油）が貯留されている。
【００２１】
クランク軸である駆動軸（23）は、主軸部（24）と二つの偏心部（25,26）とを備えている。二つの偏心部（25,26）は、主軸部（24）の軸方向に並んで配置されている。これら二つの偏心部（25,26）は、上側に位置するものが上側偏心部（25）であり、下側に位置するものが下側偏心部（26）である。また、これら二つの偏心部（25,26）は、それぞれが主軸部（24）よりも大径の円柱状に形成され、それぞれの軸心が主軸部（24）の軸心に対して偏心している。また、上側偏心部（25）の偏心方向と下側偏心部（26）の偏心方向は、主軸部（24）の軸心を中心として互いに１８０°ずれている。
【００２２】
駆動軸（23）の下端には、油吸込管（28）が突設されている。油吸込管（28）の下端は、ケーシング（11）の底部に貯留された潤滑油に浸かっている。また、図示しないが、駆動軸（23）の内部には、油吸込管（28）に接続する給油通路が形成されている。遠心ポンプ作用によって油吸込管（28）へ吸い込まれた潤滑油は、給油通路を通って各圧縮機構（40,60）の摺動箇所へ供給される。
【００２３】
電動機（20）は、固定子（21）と回転子（22）とを備えている。固定子（21）は、ケーシング（11）の胴部（12）に固定されている。一方、回転子（22）は、固定子（21）の内側に配置され、駆動軸（23）の主軸部（24）に連結されている。
【００２４】
固定子（21）には、その外周部の一部を切り欠くことによってコアカット（21a）が形成されている。ケーシング（11）の内部空間は、電動機（20）の上側の部分と下側の部分がコアカット（21a）を介して連通する。このコアカット（21a）は、本発明の潤滑油通路を構成している。
【００２５】
図２及び図７にも示すように、ケーシング（11）の内部空間のうち圧縮機部（30）と電動機（20）の間の部分である一次空間（S1）には、油戻しガイド（85）と油飛散防止カバー（86）とが配置されている。また、図１に示すように、ケーシング（11）の内部空間のうち電動機（20）よりも上側の部分である二次空間（S2）には、油戻しガイド（87）が配置されている。一次空間（S1）の油戻しガイド（85）及び油飛散防止カバー（86）と、二次空間（S2）の油戻しガイド（87）とは、いずれもケーシング（11）の胴部（12）に取り付けられている。
【００２６】
一次空間（S1）内の油戻しガイド（87）及び二次空間（S2）内の油戻しガイド（85）は、概ね同じ形状をしている。図８は、油戻しガイド（85）の斜視図である。
【００２７】
油戻しガイド（85）は、マウンティングプレート（35）よりも上方に設置され、一次空間（S1）で旋回する潤滑油（後述）を捕捉する。油戻しガイド（85）は、支持板（85a）と、支持板（85a）に連続して形成される本体部（85b）とを有している。
【００２８】
支持板（85a）は、ケーシング（11）の胴部（12）に沿ってＬ字状に形成され、この胴部（12）の内周壁に固定される。本体部（85b）は、支持板（85a）よりも径方向内方に屈曲して形成され、それぞれ板状の、対向板部（85c）、上板部（85d）、及び側板部（85e）を有している。より詳しくは、図８に示すように、本体部（85b）では、対向板部（85c）、上板部（85d）、及び側板部（85e）からなる３面が互いに直交して配置されて、それぞれの面の向かい側はオープンになっている。
【００２９】
そして、本実施形態では、支持板（85a）を胴部（12）に取り付けると、本体部（85b）の内側に油導入空間（S3）が形成される。また、対向板部（85c）に対向して一次空間（S1）に連通する開口（流入口（85f））と、上板部（85d）に対向して一次空間（S1）に連通する開口（流出口（85g））が形成される。支持板（85a）は、流入口（85f）が電動機（20）の回転方向に対向するように開口し、且つ流出口（85g）がマウンティングプレート（35）の上面に対向して開口するように、胴部（12）の内周面に固定されている（図７参照）。例えば、流入口（85f）から潤滑油などの液体が流入すると、流入した液体（流体）は対向板部（85c）に衝突して、その流れの向きが変わり、流出口（85g）からマウンティングプレート（35）の上面に落下する。すなわち、油戻しガイド（85）は、流入口（85f）からから流入した液体（流体）を捕捉するのである。
【００３０】
なお、二次空間（S2）の油戻しガイド（87）は、コアカット（21a）の上方に取り付けられている。すなわち、油戻しガイド（87）が捕捉した流体は、コアカット（21a）に導出される。
【００３１】
油飛散防止カバー（86）は、固定子（21）とケーシング（11）の間に形成されたコアカット（21a）の下方に配置される。油飛散防止カバー（86）は、ケーシング（11）の胴部（12）の内周面を覆う形状の部材であり、胴部（12）との間に油の通路を形成する。なお、油飛散防止カバー（86）の構成は、後に詳述する。
【００３２】
ここで、電動機（20）の回転子（22）は、図７における時計方向に回転する。このため、一次空間（S1）及び二次空間（S2）では、回転子（22）の回転方向と同じ向きに冷媒が回転するように流れる。つまり、一次空間（S1）及び二次空間（S2）では、回転子（22）の回転方向と同じ向きの旋回流が生じる。
【００３３】
以上のように、一次空間（S1）及び二次空間（S2）の油戻しガイド（85,87）は、ケーシング（11）の胴部（12）の内周面を覆う形状の部材である。そして、これらの油戻しガイド（85,87）は、旋回流に含まれる油滴を捕捉して下方へ導くように構成されている。
【００３４】
−圧縮機部の構成−
圧縮機部（30）の詳細な構成について、図２〜図９を参照しながら説明する。
【００３５】
図２及び図３に示すように、圧縮機部（30）は、第１圧縮機構（40）と、第２圧縮機構（60）とを備えている。両圧縮機構（40,60）の間には、ミドルプレート（31）が挟み込まれている。また、両圧縮機構（40,60）とミドルプレート（31）は、マウンティングプレート（35）を介して、ケーシング（11）に固定されている。
【００３６】
〈第１圧縮機構〉
図２及び図３に示すように、第１圧縮機構（40）は、リアヘッド（41）と、第１シリンダ（51）と、第１ピストン（52）と、第１ブレード（54）とを備えている。第１シリンダ（51）は、リアヘッド（41）と一体に形成されている。また、第１ピストン（52）は、第１シリンダ（51）に対して相対的に偏心回転する。
【００３７】
リアヘッド（41）は、厚板状のシリンダ側鏡板部（42）を備えている。リアヘッド（41）の中央部には、支持用貫通孔（43）が形成されている。この支持用貫通孔（43）は、断面が円形の孔であって、リアヘッド（41）をその厚さ方向（図２における上下方向）に貫通する。つまり、支持用貫通孔（43）は、リアヘッド（41）の前面（44）（図２における上面）及び背面（図２における下面）に開口している。
【００３８】
リアヘッド（41）の支持用貫通孔（43）には、円筒状の軸受メタル（47）が圧入されている。この軸受メタル（47）には、駆動軸（23）の主軸部（24）のうち下側偏心部（26）の下方に位置する部分が挿し通されている。軸受部材であるリアヘッド（41）は、駆動軸（23）を支持する滑り軸受を構成する。
【００３９】
図４(Ａ)にも示すように、リアヘッド（41）には、抜け止め部である環状突部（43a）が形成されている。この環状突部（43a）は、支持用貫通孔（43）の壁面の周方向へ延びる円環状の突部であって、図４(Ａ)における支持用貫通孔（43）の上端付近に配置されている。環状突部（43a）の内径φ１は、支持用貫通孔（43）の内径φ２よりも小さい。また、環状突部（43a）の内径φ１は、軸受メタル（47）の外径φｍｏよりも小さく、軸受メタル（47）の内径φｍｉよりも大きい。図４(Ａ)において、軸受メタル（47）の上端が環状突部（43a）の下端に当たった状態では、軸受メタル（47）の上方への移動が環状突部（43a）によって阻止される。
【００４０】
図２及び図３に示すように、リアヘッド（41）には、環状溝（45）が形成されている。この環状溝（45）は、リアヘッド（41）の前面（44）に開口する円環状の溝であって、リアヘッド（41）の前面（44）における支持用貫通孔（43）の開口部を囲うように配置される。また、リアヘッド（41）には、環状溝（45）から冷凍機油を排出するための排油通路（49a）が形成されている。
【００４１】
リアヘッド（41）には、第１吸入通路（14a）が形成されている。第１吸入通路（14a）は、一端がシリンダ側鏡板部（42）の外周面に開口し、他端がシリンダ側鏡板部（42）の前面（44）に開口する。第１吸入通路（14a）の一端には、第１吸入管（14）が差し込まれている。シリンダ側鏡板部（42）の前面（44）における第１吸入通路（14a）の開口部は、吸入口（56）である。この吸入口（56）の位置については、後述する。
【００４２】
リアヘッド（41）には、背面側凹部（46）が形成されている。背面側凹部（46）は、シリンダ側鏡板部（42）の背面（図２及び図３における下面）に開口する凹部である。この背面側凹部（46）には、第１吐出管（15）が連通している。そして、図３に示すように、シリンダ側鏡板部（42）には、外周部の一部に切り欠きが形成され、この切欠きと胴部（12）の内周面とによって、油戻し孔（42a）が形成されている。
【００４３】
また、リアヘッド（41）には、ボトムプレート（34）が取り付けられている。ボトムプレート（34）は、円板状の部材であって、シリンダ側鏡板部（42）の背面を覆うように設けられる。シリンダ側鏡板部（42）の背面に開口する背面側凹部（46）は、ボトムプレート（34）によって塞がれる。また、図３に示すように、ボトムプレート（34）には、外周部の一部に切り欠きが形成され、この切欠きと胴部（12）の内周面とによって、油戻し孔（34a）が形成されている。油戻し孔（34a）の位置は、油戻し孔（42a）と連通するように定めてある。
【００４４】
リアヘッド（41）には、二つの吐出通路（15a,15b）が形成されている。各吐出通路（15a,15b）は、シリンダ側鏡板部（42）をその厚さ方向に貫通する貫通孔である。各吐出通路（15a,15b）は、一端がシリンダ側鏡板部（42）の前面（44）に開口し、他端が背面側凹部（46）の底面に開口する。シリンダ側鏡板部（42）の前面（44）における内側吐出通路（15a）の開口部は、内側吐出口（57a）である。シリンダ側鏡板部（42）の前面（44）における外側吐出通路（15b）の開口部は、外側吐出口（57b）である。内側吐出口（57a）及び外側吐出口（57b）の位置については、後述する。
【００４５】
図３に示すように、リアヘッド（41）には、二つの吐出弁（58a,58b）が設けられている。各吐出弁（58a,58b）は、いわゆるリード弁であって、シリンダ側鏡板部（42）の背面側凹部（46）の底面に設置されている。内側吐出弁（58a）は、背面側凹部（46）の底面における内側吐出通路（15a）の開口部を覆うように配置され、この内側吐出通路（15a）を開閉する。外側吐出弁（58b）は、背面側凹部（46）の底面における外側吐出通路（15b）の開口部を覆うように配置され、この外側吐出通路（15b）を開閉する。
【００４６】
第１シリンダ（51）は、内側シリンダ部（51a）及び外側シリンダ部（51b）によって構成されている。内側シリンダ部（51a）及び外側シリンダ部（51b）は、リアヘッド（41）のシリンダ側鏡板部（42）と一体に形成され、シリンダ側鏡板部（42）の前面（44）（図２における上面）から上方に突出している。
【００４７】
図５にも示すように、内側シリンダ部（51a）は、短い円筒状に形成され、環状溝（45）の周囲を囲むように配置されている。外側シリンダ部（51b）は、内側シリンダ部（51a）の周囲を囲むように配置されている。外側シリンダ部（51b）の内周面は、内側シリンダ部（51a）の外周面と対面する円筒面である。
【００４８】
第１ピストン（52）は、ピストン側鏡板部（52a）と、ピストン本体（52b）と、軸受部（52c）とを備えている。軸受部（52c）は、短い円筒状に形成されている。第１ピストン（52）は、軸受部（52c）に軸受メタル（53）が圧入され、この軸受メタル（53）に駆動軸（23）の下側偏心部（26）が挿し通される。ピストン側鏡板部（52a）は、軸受部（52c）の一端部（図２における上端部）に連続した平板状の部分であって、軸受部（52c）から外方へ延びるドーナツ板状に形成されている。ピストン本体（52b）は、軸受部（52c）の周囲を囲む短い円筒状に形成され、ピストン側鏡板部（52a）の前面（図２における下面）から下方へ突出している。また、図５に示すように、ピストン本体（52b）は、その周方向の一箇所で分断されている。
【００４９】
第１ピストン（52）は、ピストン側鏡板部（52a）の前面（図２における下面）がシリンダ側鏡板部（42）の前面（44）と向かい合い、ピストン本体（52b）が内側シリンダ部（51a）と外側シリンダ部（51b）の間に入り込む。また、第１ピストン（52）は、ピストン側鏡板部（52a）の前面のうち軸受部（52c）とピストン本体（52b）の間の部分が内側シリンダ部（51a）の突端面（図２における上端面）と摺動し、ピストン側鏡板部（52a）の前面のうちピストン本体（52b）よりも外側の部分が外側シリンダ部（51b）の突端面（図２における上端面）と摺動し、ピストン本体（52b）の突端面（図２における下端面）がシリンダ側鏡板部（42）の前面（44）のうち内側シリンダ部（51a）と外側シリンダ部（51b）の間の部分と摺動する。
【００５０】
図５にも示すように、第１圧縮機構（40）では、第１シリンダ（51）と第１ピストン（52）によって、外側流体室（S11）及び内側流体室（S12）が形成される。具体的に、第１圧縮機構（40）では、ピストン本体（52b）と外側シリンダ部（51b）の間に外側流体室（S11）が形成され、ピストン本体（52b）と内側シリンダ部（51a）の間に内側流体室（S12）が形成される。
【００５１】
第１ブレード（54）は、内側シリンダ部（51a）の径方向に延びる平板状の部分であって、内側シリンダ部（51a）の外周面から外側シリンダ部（51b）の内周面に亘って形成されている。また、第１ブレード（54）は、シリンダ側鏡板部（42）の前面（44）から突出している。第１ブレード（54）は、シリンダ側鏡板部（42）、内側シリンダ部（51a）、及び外側シリンダ部（51b）と一体に形成されている。第１ブレード（54）は、ピストン本体（52b）の分断箇所に入り込み、外側流体室（S11）と内側流体室（S12）のそれぞれを、低圧室（S11L,S12L）と高圧室（S11H,S12H）に仕切る。
【００５２】
第１圧縮機構（40）は、一対の第１揺動ブッシュ（55）を備えている。第１揺動ブッシュ（55）は、図５における第１ブレード（54）の右側と左側に一つずつ設けられている。各第１揺動ブッシュ（55）には、第１ブレード（54）と摺接する平坦面と、平坦面の反対側に位置する円弧面とが形成されている。第１揺動ブッシュ（55）の円弧面は、ピストン本体（52b）の分断箇所の端面と摺接する。
【００５３】
吸入口（56）は、図５における第１ブレード（54）の右側に配置され、外側流体室（S11）と内側流体室（S12）の両方と連通する。つまり、吸入口（56）は、外側流体室（S11）及び内側流体室（S12）の低圧室（S11L,S12L）に連通する。一方、内側吐出口（57a）及び外側吐出口（57b）は、第１ブレード（54）の左側に配置されている。内側吐出口（57a）は、内側流体室（S12）の高圧室（S12H）に連通し、外側吐出口（57b）は、外側流体室（S11）の高圧室（S11H）に連通する。
【００５４】
第１圧縮機構（40）では、ピストン本体（52b）の外周面と外側シリンダ部（51b）の内周面が互いの周方向における一箇所で摺接し、ピストン本体（52b）の内周面と内側シリンダ部（51a）の外周面が互いの周方向における一箇所で摺接する。ピストン本体（52b）の外周面と外側シリンダ部（51b）の内周面の摺接箇所と、ピストン本体（52b）の内周面と内側シリンダ部（51a）の外周面の摺接箇所は、主軸部（24）の軸心を挟んで反対側に位置している。
【００５５】
〈第２圧縮機構〉
図２及び図３に示すように、第２圧縮機構（60）は、フロントヘッド（61）と、第２シリンダ（71）と、第２ピストン（72）と、第２ブレード（74）とを備えている。第２シリンダ（71）は、フロントヘッド（61）と一体に形成されている。また、第２ピストン（72）は、第２シリンダ（71）に対して相対的に偏心回転する。
【００５６】
フロントヘッド（61）は、厚板状のシリンダ側鏡板部（62）を備えている。シリンダ側鏡板部（62）には、円筒状の筒状突部（62a）が一体に形成されている。筒状突部（62a）は、シリンダ側鏡板部（62）の中央部に配置され、シリンダ側鏡板部（62）の背面（図２における上面）から上方へ突出している。フロントヘッド（61）の中央部には、支持用貫通孔（63）が形成されている。この支持用貫通孔（63）は、断面が円形の孔であって、フロントヘッド（61）をその厚さ方向（図２における上下方向）に貫通する。つまり、支持用貫通孔（63）は、一端が筒状突部（62a）の突端面に開口し、他端がシリンダ側鏡板部（62）の前面（64）（図２における下面）に開口する。
【００５７】
フロントヘッド（61）の支持用貫通孔（63）には、円筒状の軸受メタル（67）が圧入されている。この軸受メタル（67）には、駆動軸（23）の主軸部（24）のうち上側偏心部（25）の上方に位置する部分が挿し通されている。軸受部材であるフロントヘッド（61）は、駆動軸（23）を支持する滑り軸受を構成する。
【００５８】
図４(Ｂ)にも示すように、フロントヘッド（61）には、抜け止め部である環状突部（63a）が形成されている。この環状突部（63a）は、支持用貫通孔（63）の壁面の周方向へ延びる円環状の突部であって、図４(Ｂ)における支持用貫通孔（63）の下端付近に配置されている。環状突部（63a）の内径φ１は、支持用貫通孔（63）の内径φ２よりも小さい。また、環状突部（63a）の内径φ１は、軸受メタル（67）の外径φｍｏよりも小さく、軸受メタル（67）の内径φｍｉよりも大きい。図４(Ｂ)において、軸受メタル（67）の下端が環状突部（63a）の上端に当たった状態では、軸受メタル（67）の下方への移動が環状突部（63a）によって阻止される。
【００５９】
図２及び図３に示すように、フロントヘッド（61）には、環状溝（65）が形成されている。この環状溝（65）は、フロントヘッド（61）の前面（64）に開口する円環状の溝であって、フロントヘッド（61）の前面（64）における支持用貫通孔（63）の開口部を囲うように配置される。また、図示しないが、フロントヘッド（61）には、環状溝（65）から冷凍機油を排出するための排油通路が形成されている。
【００６０】
フロントヘッド（61）には、第２吸入通路（16a）が形成されている。第２吸入通路（16a）は、一端がシリンダ側鏡板部（62）の外周面に開口し、他端がシリンダ側鏡板部（62）の前面（64）に開口する。第２吸入通路（16a）の一端には、第２吸入管（16）が差し込まれている。シリンダ側鏡板部（62）の前面（64）における第２吸入通路（16a）の開口部は、吸入口（76）である。この吸入口（76）の位置については、後述する。
【００６１】
図３に示すように、フロントヘッド（61）には、背面側凹部（66）が形成されている。背面側凹部（66）は、シリンダ側鏡板部（62）の背面（図３における上面）に開口する凹部である。背面側凹部（66）は、シリンダ側鏡板部（62）の背面を覆うように設置されたマウンティングプレート（35）によって塞がれる。マウンティングプレート（35）については、後述する。
【００６２】
フロントヘッド（61）には、二つの吐出通路（17a,17b）が形成されている。各吐出通路（17a,17b）は、シリンダ側鏡板部（62）をその厚さ方向に貫通する貫通孔である。各吐出通路（17a,17b）は、一端がシリンダ側鏡板部（62）の前面（64）に開口し、他端が背面側凹部（66）の底面に開口する。シリンダ側鏡板部（62）の前面（64）における内側吐出通路（17a）の開口部は、内側吐出口（77a）である。シリンダ側鏡板部（62）の前面（64）における外側吐出通路（17b）の開口部は、外側吐出口（77b）である。内側吐出口（77a）及び外側吐出口（77b）の位置については、後述する。
【００６３】
フロントヘッド（61）には、二つの吐出弁（78a,78b）が設けられている。各吐出弁（78a,78b）は、いわゆるリード弁であって、シリンダ側鏡板部（62）の背面側凹部（66）の底面に設置されている。内側吐出弁（78a）は、背面側凹部（66）の底面における内側吐出通路（17a）の開口部を覆うように配置され、この内側吐出通路（17a）を開閉する。外側吐出弁（78b）は、背面側凹部（66）の底面における外側吐出通路（17b）の開口部を覆うように配置され、この外側吐出通路（17b）を開閉する。
【００６４】
また、図３に示すように、フロントヘッド（61）のシリンダ側鏡板部（62）は、外周部の一部に切り欠きが形成され、この切欠きと胴部（12）の内周面とによって、油戻し孔（62b）が形成されている。油戻し孔（62b）の位置は、後述する油戻し孔（31d）と連通するように定めてある。
【００６５】
第２シリンダ（71）は、内側シリンダ部（71a）及び外側シリンダ部（71b）によって構成されている。内側シリンダ部（71a）及び外側シリンダ部（71b）は、フロントヘッド（61）のシリンダ側鏡板部（62）と一体に形成され、シリンダ側鏡板部（62）の前面（64）から下方に突出している。
【００６６】
図６にも示すように、内側シリンダ部（71a）は、短い円筒状に形成され、環状溝（65）の周囲を囲むように配置されている。外側シリンダ部（71b）は、内側シリンダ部（71a）の周囲を囲むように配置されている。外側シリンダ部（71b）の内周面は、内側シリンダ部（71a）の外周面と対面する円筒面である。
【００６７】
第２ピストン（72）は、ピストン側鏡板部（72a）と、ピストン本体（72b）と、軸受部（72c）とを備えている。軸受部（72c）は、短い円筒状に形成されている。第２ピストン（72）は、軸受部（72c）に軸受メタル（73）が圧入され、この軸受メタル（73）に駆動軸（23）の上側偏心部（25）が挿し通される。ピストン側鏡板部（72a）は、軸受部（72c）の一端部（図２における下端部）に連続した平板状の部分であって、軸受部（72c）から外方へ延びるドーナツ板状に形成されている。ピストン本体（72b）は、軸受部（72c）の周囲を囲む短い円筒状に形成され、ピストン側鏡板部（72a）の前面（図２における上面）から上方へ突出している。また、図６に示すように、ピストン本体（72b）は、その周方向の一箇所で分断されている。
【００６８】
図６にも示すように、ピストン本体（72b）の突端面（図２における上面）には、凹溝（72d）が形成されている。この凹溝（72d）は、ピストン本体（72b）の周方向に延びる円弧状の溝である。凹溝（72d）は、ピストン本体（72b）の突端面の幅方向（径方向）の中央部に配置されている。凹溝（72d）の大部分は、ピストン本体（72b）の突端面のうち図６における右側の部分に位置している。また、第２ピストン（72）が移動しても、凹溝（72d）の一端は、吸入口（76）と常に連通する。
【００６９】
第２ピストン（72）は、ピストン側鏡板部（72a）の前面（図２における上面）がシリンダ側鏡板部（62）の前面（64）と向かい合い、ピストン本体（72b）が内側シリンダ部（71a）と外側シリンダ部（71b）の間に入り込む。また、第２ピストン（72）は、ピストン側鏡板部（72a）の前面のうち軸受部（72c）とピストン本体（72b）の間の部分が内側シリンダ部（71a）の突端面（図２における下端面）と摺動し、ピストン側鏡板部（72a）の前面のうちピストン本体（72b）よりも外側の部分が外側シリンダ部（71b）の突端面（図２における下端面）と摺動し、ピストン本体（72b）の突端面（図２における上端面）がシリンダ側鏡板部（62）の前面（64）のうち内側シリンダ部（71a）と外側シリンダ部（71b）の間の部分と摺動する。
【００７０】
図６にも示すように、第２圧縮機構（60）では、第２シリンダ（71）と第２ピストン（72）によって、外側流体室（S21）及び内側流体室（S22）が形成される。具体的に、第２圧縮機構（60）では、ピストン本体（72b）と外側シリンダ部（71b）の間に外側流体室（S21）が形成され、ピストン本体（72b）と内側シリンダ部（71a）の間に内側流体室（S22）が形成される。
【００７１】
第２ブレード（74）は、内側シリンダ部（71a）の径方向に延びる平板状の部分であって、内側シリンダ部（71a）の外周面から外側シリンダ部（71b）の内周面に亘って形成されている。また、第２ブレード（74）は、シリンダ側鏡板部（62）の前面（64）から突出している。第２ブレード（74）は、シリンダ側鏡板部（62）、内側シリンダ部（71a）、及び外側シリンダ部（71b）と一体に形成されている。第２ブレード（74）は、ピストン本体（72b）の分断箇所に入り込み、外側流体室（S21）と内側流体室（S22）のそれぞれを、低圧室（S21L,S22L）と高圧室（S21H,S22H）に仕切る。
【００７２】
第２圧縮機構（60）は、一対の第２揺動ブッシュ（75）を備えている。第２揺動ブッシュ（75）は、図６における第２ブレード（74）の右側と左側に一つずつ設けられている。各第２揺動ブッシュ（75）には、第２ブレード（74）と摺接する平坦面と、平坦面の反対側に位置する円弧面とが形成されている。第２揺動ブッシュ（75）の円弧面は、ピストン本体（72b）の分断箇所の端面と摺接する。
【００７３】
吸入口（76）は、図６における第２ブレード（74）の右側に配置され、外側流体室（S21）と内側流体室（S22）の両方と連通する。つまり、吸入口（76）は、外側流体室（S21）及び内側流体室（S22）の低圧室（S21L,S22L）に連通する。一方、内側吐出口（77a）及び外側吐出口（77b）は、第２ブレード（74）の左側に配置されている。内側吐出口（77a）は、内側流体室（S22）の高圧室（S22H）に連通し、外側吐出口（77b）は、外側流体室（S21）の高圧室（S21H）に連通する。
【００７４】
第２圧縮機構（60）では、ピストン本体（72b）の外周面と外側シリンダ部（71b）の内周面が互いの周方向における一箇所で摺接し、ピストン本体（72b）の内周面と内側シリンダ部（71a）の外周面が互いの周方向における一箇所で摺接する。ピストン本体（72b）の外周面と外側シリンダ部（71b）の内周面の摺接箇所と、ピストン本体（72b）の内周面と内側シリンダ部（71a）の外周面の摺接箇所は、主軸部（24）の軸心を挟んで反対側に位置している。
【００７５】
〈ミドルプレート〉
図２に示すように、ミドルプレート（31）は、円板状の平板部（31b）と、平板部（31b）の周囲を囲むように形成された筒状の筒部（31a）とを備えている。
【００７６】
筒部（31a）は、リアヘッド（41）と一体の外側シリンダ部（51b）と、フロントヘッド（61）と一体の外側シリンダ部（71b）との間に挟み込まれている。つまり、図２では、筒部（31a）の下端面が外側シリンダ部（51b）の突端面と密着し、筒部（31a）の上端面が外側シリンダ部（71b）の突端面と密着する。
【００７７】
平板部（31b）は、第１ピストン（52）のピストン側鏡板部（52a）と第２ピストン（72）のピストン側鏡板部（72a）の間に挟み込まれている。平板部（31b）は、図２における下面が第１ピストン（52）のピストン側鏡板部（52a）の背面と対面し、同図における上面が第２ピストン（72）のピストン側鏡板部（72a）の背面と対面する。また、平板部（31b）の中央部には、平板部（31b）を厚さ方向に貫通する貫通孔（31c）が形成されている。この貫通孔（31c）には、駆動軸（23）のうち上側偏心部（25）と下側偏心部（26）の間の部分が挿し通されている。
【００７８】
ミドルプレート（31）の平板部（31b）は、第１ピストン（52）側の面に第１シールリング（32a）と第２シールリング（32b）が設けられ、第２ピストン（72）側の面に第３シールリング（32c）が設けられる。これらシールリング（32a〜32c）は、貫通孔（31c）の周囲を囲むように配置され、平板部（31b）に形成された円環状の溝に嵌まり込んでいる。また、第１シールリング（32a）は、第２シールリング（32b）の周囲を囲むように配置される。第１シールリング（32a）及び第２シールリング（32b）は、第１ピストン（52）のピストン側鏡板部（52a）の背面と接触する。第３シールリング（32c）は、第２ピストン（72）のピストン側鏡板部（72a）の背面と接触する。
【００７９】
また、図３に示すように、ミドルプレート（31）の平板部（31b）は、外周部の一部に切り欠きが形成され、この切欠きと胴部（12）の内周面とによって、油戻し孔（31d）が形成されている。油戻し孔（31d）の位置は、油戻し孔（42a）と連通するように定めてある。つまり、シリンダ側鏡板部（62）、ミドルプレート（31）、シリンダ側鏡板部（42）、及びボトムプレート（34）のそれぞれに形成された油戻し孔（31d,34a,42a,62b）によって、一次空間（S1）は、ケーシング（11）の内部空間における、圧縮機部（30）よりも下側の空間と連通することになる。
【００８０】
〈マウンティングプレート〉
図２及び図７に示すように、マウンティングプレート（35）は、円板部（36）と周縁部（37）とを備えた皿状の部材である。円板部（36）は、平坦な円板状に形成されている。周縁部（37）は、円板部（36）の周縁に連続して形成された円筒状の部分である。周縁部（37）の外周面は、ケーシング（11）の胴部（12）の内周面と密着している。また、マウンティングプレート（35）は、周縁部（37）がケーシング（11）の胴部（12）と溶接によって接合されている。マウンティングプレート（35）は、圧縮機構（60）が取り付けられる。より詳しくは、マウンティングプレート（35）には、第１圧縮機構（40）と、第２圧縮機構（60）と、ミドルプレート（31）と、ボトムプレート（34）とが、三本のボルト（80）によって締結されている。図７に示すように、これら三本のボルト（80）は、マウンティングプレート（35）の円板部（36）の周方向に、概ね等角度間隔で配置されている。各ボルト（80）は、マウンティングプレート（35）の円板部（36）と、フロントヘッド（61）のシリンダ側鏡板部（62）と、ミドルプレート（31）の平板部（31b）と、リアヘッド（41）のシリンダ側鏡板部（42）とを貫通する。また、各ボルト（80）の雄ねじ部は、ボトムプレート（34）に形成された雌ねじと噛み合う。なお、ここに示したボルト（80）の本数は、単なる一例である。
【００８１】
図３に示すように、マウンティングプレート（35）は、円板部（36）の中央部に連通用貫通孔（36a）が形成されている。連通用貫通孔（36a）は、円板部（36）を厚さ方向に貫通する比較的大径の孔である。この連通用貫通孔（36a）には、フロントヘッド（61）の筒状突部（62a）が挿し通されている。連通用貫通孔（36a）の直径は、筒状突部（62a）の外径よりも大きい。従って、連通用貫通孔（36a）の周縁部と筒状突部（62a）の間には隙間が形成され、この隙間を介してフロントヘッド（61）の背面側凹部（66）がマウンティングプレート（35）の円板部（36）の上側の空間と連通する。
【００８２】
また、円板部（36）には、厚さ方向（図２における上下方向）に貫通する貫通孔（36b）も形成されている（図３参照）。
【００８３】
〈デミスタ部材〉
図２及び図３に示すように、マウンティングプレート（35）の円板部（36）には、デミスタ部材（81）が載っている。このデミスタ部材（81）は、固定部材（82）によってマウンティングプレート（35）に固定されている。
【００８４】
デミスタ部材（81）は、金属メッシュを円筒状に成型した部材であって、円板部（36）の連通用貫通孔（36a）の周囲を囲むように配置されている。図７にも示すように、固定部材（82）は、デミスタ部材（81）の上面を覆う一つの蓋部（82a）と、蓋部（82a）の周縁から下方へ延びる三つの脚部（82b）とを備えている。三つの脚部（82b）は、蓋部（82a）の周方向へ概ね等角度間隔で配置されている。固定部材（82）は、各脚部（82b）の下端部がマウンティングプレート（35）の円板部（36）に固定されている。なお、駆動軸（23）は、固定部材（82）の蓋部（82a）の中央部を貫通している。
【００８５】
−油飛散防止カバーの構成−
次に、本実施形態の特徴である油飛散防止カバー（86）について説明する。図９は、油飛散防止カバー（86）の斜視図である。油飛散防止カバー（86）は、潤滑油通路（21a）から流出した潤滑油を、ケーシング（11）の内周面（詳しくは胴部（12）の内周面）とともに囲い込むように構成されている。具体的に、油飛散防止カバー（86）は、断面がＵ字状の板部材である本体部（86b）と、本体部（86b）の両端にそれぞれ設けられた支持部（86a）とによって形成されている（図９を参照）。この油飛散防止カバー（86）は、それぞれの支持部（86a）が、胴部（12）の内周面に固定されている。こうすることで、油飛散防止カバー（86）と胴部（12）の内周面とによって、上下両端が開口した流路（88）が形成される。この流路（88）内を、コアカット（21a）から戻って来る潤滑油が流れる。
【００８６】
そして、油飛散防止カバー（86）は、その上端（すなわち流路（88）の潤滑油の入り口）がコアカット（21a）の下端の近傍に位置し、その下端（すなわち流路（88）の潤滑油の出口）が、マウンティングプレート（35）の周縁部（37）の上端付近に位置している。つまり、油飛散防止カバー（86）は、一次空間（S1）に流れるガス（後述）と潤滑油通路（コアカット（21a））から流出した潤滑油とを隔てるように一次空間（S1）内に形成されており、流路（88）内を流れる潤滑油が一次空間（S1）内のガスの流れとぶつかることは殆どない。
【００８７】
−運転動作−
圧縮機（10）の運転動作について説明する。
【００８８】
先ず、圧縮機（10）全体の運転動作について、図１を参照しながら説明する。電動機（20）に通電すると、駆動軸（23）が回転し、圧縮機構（40,60）のピストン（52,72）が駆動軸（23）によって駆動される。
【００８９】
圧縮機（10）の第１吸入管（14）には、冷媒回路の蒸発器で蒸発した冷媒が吸入される。第１吸入管（14）へ流入した低圧冷媒は、第１圧縮機構（40）の外側流体室（S11）及び内側流体室（S12）へ吸い込まれて圧縮される。各流体室（S11,S12）内で圧縮された冷媒は、リアヘッド（41）に形成された背面側凹部（46）へ吐出される。第１圧縮機構（40）から吐出された冷媒は、第１吐出管（15）を通って一旦ケーシング（11）の外部へ流出し、図外のインジェクション用配管から供給された中間圧冷媒と混合された後に、第２吸入管（16）を通って第２吸入通路（16a）へ流入する。
【００９０】
第２吸入通路（16a）へ流入した冷媒は、第２圧縮機構（60）の外側流体室（S21）及び内側流体室（S22）へ吸い込まれて更に圧縮される。各流体室（S21,S22）内で圧縮された冷媒は、フロントヘッド（61）の背面側凹部（66）へ吐出される。第２圧縮機構（60）から吐出された冷媒は、ケーシング（11）内の一次空間（S1）と二次空間（S2）を順に通過し、その後に第２吐出管（17）を通ってケーシング（11）の外部へ流出してゆく。
【００９１】
次に、圧縮機部（30）の運転動作について、図１０を参照しながら説明する。ここでは、第１圧縮機構（40）の運転動作について説明するが、第２圧縮機構（60）の運転動作は第１圧縮機構（40）と基本的に同じである。なお、図１０では、軸受メタル（47）の図示を省略している。
【００９２】
第１圧縮機構（40）では、第１ピストン（52）のピストン本体（52b）が第１ブレード（54）に沿って往復動すると共に揺動する。そして、第１圧縮機構（40）では、ピストン本体（52b）が外側シリンダ部（51b）及び内側シリンダ部（51a）に対して揺動しながら公転し、流体室（S11,S12）へ冷媒が吸入されて圧縮される。
【００９３】
具体的に、図１０(Ａ)の状態から駆動軸（23）が同図における時計方向へ回転し、ピストン本体（52b）の外周面と外側シリンダ部（51b）の内周面の接触位置が吸入口（56）を通過すると、吸入口（56）から外側流体室（S11）の低圧室（S11L）へ低圧冷媒が吸入され始める。その後、駆動軸（23）が回転すると、低圧室（S11L）の容積が増大してゆき（図１０(Ｂ),(Ｃ),…を参照）、図１０(Ａ)の状態に戻ると低圧室（S11L）の容積が最大になる。低圧室（S11L）の容積が増加している間は、吸入口（56）から低圧室（S11L）へ低圧冷媒が吸入され続ける。
【００９４】
一方、図１０(Ａ)の状態から駆動軸（23）が同図における時計方向へ回転し、ピストン本体（52b）の外周面と外側シリンダ部（51b）の内周面の接触位置が吸入口（56）を通過すると、外側流体室（S11）の高圧室（S11H）が第１吸入通路（14a）から遮断された閉空間となる。その後、駆動軸（23）が回転すると、高圧室（S11H）の容積が減少してゆき（図１０(Ｂ),(Ｃ),…を参照）、高圧室（S11H）内の冷媒が圧縮され、高圧室（S11H）内の冷媒圧力が上昇してゆく。
【００９５】
高圧室（S11H）内の冷媒圧力が背面側凹部（46）の圧力よりも幾分高くなると、外側吐出弁（58b）が開き、高圧室（S11H）内の冷媒が外側吐出口（57b）を通って背面側凹部（46）へ流出してゆく。例えば図１０(Ｆ)の状態で外側吐出弁（58b）が開いたとすると、その後は高圧室（S11H）内の冷媒が外側吐出口（57b）を通って流出する。そして、図１０(Ａ)の状態に戻ると、高圧室（S11H）からの冷媒の吐出が完了する。
【００９６】
また、図１０(Ｅ)の状態から駆動軸（23）が同図における時計方向へ回転し、ピストン本体（52b）の内周面と内側シリンダ部（51a）の外周面の接触位置が吸入口（56）を通過すると、吸入口（56）から内側流体室（S12）の低圧室（S12L）へ低圧冷媒が吸入され始める。その後、駆動軸（23）が回転すると、低圧室（S12L）の容積が増大してゆき（図１０(Ｆ),(Ｇ),…を参照）、図１０(Ｅ)の状態に戻ると低圧室（S12L）の容積が最大になる。低圧室（S12L）の容積が増加している間は、吸入口（56）から低圧室（S12L）へ低圧冷媒が吸入され続ける。
【００９７】
一方、図１０(Ｅ)の状態から駆動軸（23）が同図における時計方向へ回転し、ピストン本体（52b）の内周面と内側シリンダ部（51a）の外周面の接触位置が吸入口（56）を通過すると、内側流体室（S12）の高圧室（S12H）が第１吸入通路（14a）から遮断された閉空間となる。その後、駆動軸（23）が回転すると、高圧室（S12H）の容積が減少してゆき（図４(Ｆ),(Ｇ),…を参照）、高圧室（S12H）内の冷媒が圧縮され、高圧室（S12H）内の冷媒圧力が上昇してゆく。
【００９８】
高圧室（S12H）内の冷媒圧力が背面側凹部（46）の圧力よりも幾分高くなると、内側吐出弁（58a）が開き、高圧室（S12H）内の冷媒が内側吐出口（57a）を通って背面側凹部（46）へ流出してゆく。例えば図１０(Ｂ)の状態で内側吐出弁（58a）が開いたとすると、その後は高圧室（S12H）内の冷媒が内側吐出口（57a）を通って流出する。そして、図１０(Ｅ)の状態に戻ると、高圧室（S12H）からの冷媒の吐出が完了する。
【００９９】
上述したように、第２圧縮機構（60）の運転動作は第１圧縮機構（40）と基本的に同じである。ただし、駆動軸（23）の上側偏心部（25）と下側偏心部（26）は、それぞれの偏心方向が互いに逆向きとなっている。そのため、第２圧縮機構（60）における第２ピストン（72）の回転運動と、第１圧縮機構（40）における第１ピストン（52）の回転運動とは、それぞれの位相が互いに１８０°ずれている。従って、第１圧縮機構（40）の第１ピストン（52）の位置が図１０(Ａ)に示す位置となる時点では、第２圧縮機構（60）の第２ピストン（72）の位置が図１０(Ｅ)に示す位置となる。
【０１００】
−潤滑油の回収−
ところで、駆動軸（23）が回転すると、ケーシング（11）の底部に貯留されている潤滑油が油吸込管（28）へ吸い込まれ、駆動軸（23）の内部に形成された給油通路を通って圧縮機部（30）の摺動箇所へ供給される。摺動箇所へ供給された潤滑油の一部は、流体室（S11,S12,S21,S22）内に流入する。例えば、第１圧縮機構（40）の流体室（S11,S12）に流入した潤滑油は、吐出通路（15a,15b）から出て、第２圧縮機構（60）の流体室（S21,S22）に流入し、その後、吐出通路（17a,17b）からガス状の冷媒とともに吐出される。吐出通路（17a,17b）から吐出された冷媒及び潤滑油は、一次空間（S1）を経由して二次空間（S2）へ入る。
【０１０１】
ところで、二次空間（S2）では、電動機（20）の回転子（22）の回転に伴って、該回転子（22）の軸心周りを旋回するガス状冷媒（旋回ガス）の気流ができている。旋回ガスの旋回方向は、電動機（20）の回転子（22）の回転方向と同方向である。この旋回ガスには、潤滑油（油滴）が含まれ、該潤滑油は、旋回ガスとともに二次空間（S2）内で旋回する。
【０１０２】
二次空間（S2）内で旋回する潤滑油は、油戻しガイド（87）によって捕捉され、捕捉された潤滑油は、下方に落下する、油戻しガイド（87）の下方にはコアカット（21a）が設けられており、油戻しガイド（87）から落下した潤滑油は、コアカット（21a）によって形成された潤滑油通路に入り込む。すなわち、コアカット（21a）は、二次空間（S2）と上記一次空間（S1）とを連通して、該二次空間（S2）内の潤滑油を二次空間（S2）から一次空間（S1）側に排出する。
【０１０３】
コアカット（21a）（潤滑油通路）の下端側から流出した潤滑油は、流路（88）（油飛散防止カバー（86））に、上端側から流入し、下端側から流出する。油飛散防止カバー（86）の下端側から流出した潤滑油は、マウンティングプレート（35）の貫通孔（36b）、及び油戻し孔（31d,34a,42a,62b）を経由して、ケーシング（11）の底部に戻る。
【０１０４】
ところで、一次空間（S1）では、電動機（20）の回転子（22）や駆動軸（23）の回転に伴って、駆動軸（23）周りを旋回するガス状冷媒（旋回ガス）の気流ができている。旋回ガスの旋回方向は、電動機（20）の回転子（22）の回転方向と同方向である。この旋回ガスには、デミスタ部材（81）を通過した潤滑油（油滴）が含まれ、該潤滑油は、旋回ガスとともに一次空間（S1）内で旋回する。
【０１０５】
このとき、流路（88）内を流れる潤滑油は、一次空間（S1）内の旋回ガスとは、該油飛散防止カバー（86）によって隔てられている。そのため、一次空間（S1）内の旋回ガスによって、コアカット（21a）を経由して戻ってくる潤滑油が一次空間（S1）において拡散させられることはない。
【０１０６】
〈本実施形態における効果〉
以上のように、本実施形態によれば、二次空間からケーシングの底部に戻す潤滑油が、回転子の回転によって一次空間内で飛散しないようにできる。
【０１０７】
《その他の実施形態》
なお、圧縮機構の構成は例示であり、上記例示の他の形式の圧縮機構を採用してもよい。例えば、円筒状のピストンが偏心運動する一般的なロータリ式流体機械（例えば、ピストンとブレードが別体に形成されたローリングピストン型のロータリ式流体機械や、ピストンとブレードが一体に形成された揺動ピストン型のロータリ式流体機械）によって構成されていてもよい。
【０１０８】
また、各実施形態の圧縮機（10）は、二つの圧縮機構（40,60）を備える二段圧縮機であるが、圧縮機構を一つだけ備える単段圧縮機を、本発明の回転式流体機械によって構成してもよい。
【産業上の利用可能性】
【０１０９】
本発明は、圧縮機構が吐出したガスが、該圧縮機構を収容するケーシング内を流れる構造の圧縮機として有用である。
【符号の説明】
【０１１０】
１０      圧縮機
１１      ケーシング
２０      電動機
２１      固定子
２１ａ    コアカット（潤滑油通路）
４０      第１圧縮機構（圧縮機構）
６０      第２圧縮機構（圧縮機構）
８６      油飛散防止カバー
Ｓ１      一次空間
Ｓ２      二次空間
【図１】
2015055191.tif 000003
【図２】
2015055191.tif 000004
【図３】
2015055191.tif 000005
【図４】
2015055191.tif 000006
【図５】
2015055191.tif 000007
【図６】
2015055191.tif 000008
【図７】
2015055191.tif 000009
【図８】
2015055191.tif 000010
【図９】
2015055191.tif 000011
【図１０】
2015055191.tif 000012